(57)【特許請求の範囲】
【請求項１】
ＨＡＲＱ（Ｈｙｂｒｉｄ−ＡＲＱ）に対応し、システマティックビットブロックにパリティビットブロックが付加されたパケット信号を送信するパケット送信装置であって、
送信するパケット信号に対してパケット受信装置から送られてくる応答信号がＡＣＫ信号であるかＮＡＣＫ信号であるかを判定するＡＣＫ／ＮＡＣＫ判定手段と、
前記応答信号が未受信かどうかを判定するＡＣＫ／ＮＡＣＫ未受信判定手段と、
前記パケット受信装置から送られてくる回線品質情報の値が規定のしきい値以上であるかどうかを判定する回線品質しきい値判定手段と、
前記応答信号がＮＡＣＫ信号である場合に、再送パケット信号として、パリティビットブロックのみを送信し、前記応答信号が未受信の場合、かつ、前記回線品質情報の値がしきい値以上であった場合には、再送パケット信号として、パリティビットブロックのみを送信する送信制御手段と、
を備えることを特徴とするパケット送信装置。
【請求項２】
前記送信制御手段は、再送時、前回の送信時と異なるパリティビットブロックを送信することを特徴とする請求項１に記載のパケット送信装置。
【請求項３】
さらに、前記送信制御手段は、前記応答信号が未受信の場合であって、かつ、前記回線品質情報の値がしきい値未満であった場合には、再送パケット信号として、システマティックビットブロックおよびパリティビットブロックを送信することを特徴とする請求項１または２に記載のパケット送信装置。
【請求項４】
ＨＡＲＱ（Ｈｙｂｒｉｄ−ＡＲＱ）に対応し、かつ、誤り訂正制御としてＬＤＰＣ（Low  Density  Parity  Check）符号を採用し、列次数単位に複数の符号ブロックに分割された符号データのうち、所定の符号ブロックを含むパケット信号を送信するパケット送信装置であって、
送信するパケット信号に対してパケット受信装置から送られてくる応答信号がＡＣＫ信号であるかＮＡＣＫ信号であるかを判定するＡＣＫ／ＮＡＣＫ判定手段と、
前記応答信号が未受信かどうかを判定するＡＣＫ／ＮＡＣＫ未受信判定手段と、
前記パケット受信装置から送られてくる回線品質情報の値が規定のしきい値以上であるかどうかを判定する回線品質しきい値判定手段と、
前記応答信号がＮＡＣＫ信号である場合に、再送パケット信号として、前回の送信時よりも列次数の低い符号ブロックのみを送信し、前記応答信号が未受信の場合、かつ、前記回線品質情報の値がしきい値以上であった場合には、再送パケット信号として、前回の送信時よりも列次数の低い符号ブロックのみを送信する送信制御手段と、
を備えることを特徴とするパケット送信装置。
【請求項５】
さらに、前記送信制御手段は、前記応答信号が未受信の場合であって、かつ、前記回線品質情報の値がしきい値未満であった場合には、再送パケット信号として、前回の送信時よりも列次数の低い符号ブロックとともに、当該符号ブロックよりも列次数の高い符号ブロックを送信することを特徴とする請求項４に記載のパケット送信装置。
【発明の詳細な説明】
【技術分野】
【０００１】
本発明は、再送制御を行うパケット送信装置に関するものであり、特に、Ｈｙｂｒｉｄ−ＡＲＱ（ＨＡＲＱ）に対応したパケット送信装置に関するものである。
【背景技術】
【０００２】
無線パケット通信の誤り制御として、自動再送要求（ＡＲＱ）と誤り訂正を組み合わせたＨＡＲＱ機能が知られている（特許文献１参照）。ＨＡＲＱは、たとえば、第３．５世代移動体通信として３ＧＰＰ（3rd  generation  partnership  project）に定められている、パケットデータの下りリンク無線通信を高速に行うための規格（ＨＳＤＰＡ：High  Speed  Downlink  Packet  Access）等において採用されている（非特許文献１参照）。
【０００３】
ＨＡＲＱ方式を搭載したパケット受信装置では、受信パケットに誤りが検出されることなく正しく受信できた場合、パケット送信装置に対してＡＣＫ信号を送出する。一方、受信パケットに誤りが検出された場合には、パケット送信装置に対してＮＡＣＫ信号を送出するとともに、誤りの検出されたパケットの軟判定情報を受信バッファに保存する。そして、パケット送信装置からパケットが再送されてきたときに、上記受信バッファに保存されている初送パケットとシンボル毎に合成して復号する。これにより、再送パケットを単体で復号するよりも受信特性を改善することができる。
【０００４】
また、上記とは別に、パケット受信装置では、パイロット信号等の受信により受信品質測定を行い、回線品質情報（ＣＱＩ：Channel  Quality  Indication）をパケット送信装置に通知する。
【０００５】
一方で、ＨＡＲＱ方式を搭載したパケット送信装置では、パケット送信の際、同時にメモリに当該パケットを保存しておく。そして、パケット受信装置よりＮＡＣＫ信号を受信した場合、パケット受信装置に対して送信したパケットがパケット受信装置にて正しく受信できなかったと判断し、メモリに保存しておいたパケットを読み出し、該当するパケット受信装置に対する再送処理を行う。なお、パケット受信装置からＡＣＫ信号を受信した場合、パケット送信装置では、受信側にてパケットが正しく受信できたと判断し、メモリ内の送信済みパケットを破棄する。
【０００６】
また、ＨＡＲＱ方式には、再送するデータに関して以下の３つのタイプが知られている。
（ＴＹＰＥ１．）再送時に送信するパケットデータを初送時と同一のものとする。
（ＴＹＰＥ２．）再送時に送信するパケットデータは初送時と一部異なるブロックを含む。
（ＴＹＰＥ３．）上記ＴＹＰＥ２．と同様であるが、再送するパケットは自己復号可能（self-decodable）とする。
【０００７】
【特許文献１】特開２００１−３５８６９９号公報
【非特許文献１】３ＧＰＰ  ＴＳ２５．２１２  ｖ５．７．０（２００３−１２）  第４．５．４節（Ｐ５９）
【発明の開示】
【発明が解決しようとする課題】
【０００８】
しかしながら、従来のＨＡＲＱパケット通信では、初送パケットがパケット受信装置に未到達である場合、パケット受信装置では再送パケットのみから誤り訂正を行ってデータを復元する必要がある。このため、再送パケットにはシステマティックビットを含むなどして自己復号可能とする必要があった。一方、初送パケットがパケット受信装置に到達したが誤りが検出された場合は、再送パケットは必ずしも自己復号可能である必要はなく、この場合、システマティックビットの再送は冗長となり、再送時の伝送効率を下げる可能性があった。
【０００９】
本発明は、上記に鑑みてなされたものであって、再送時の伝送効率を向上させるパケット送信装置を得ることを目的とする。
【課題を解決するための手段】
【００１０】
上述した課題を解決し、目的を達成するために、本発明にかかるパケット送信装置は、ＨＡＲＱ（Ｈｙｂｒｉｄ−ＡＲＱ）に対応し、システマティックビットブロックにパリティビットブロックが付加されたパケット信号を送信するパケット送信装置であって、送信するパケット信号に対してパケット受信装置から送られてくる応答信号がＡＣＫ信号であるかＮＡＣＫ信号であるかを判定するＡＣＫ／ＮＡＣＫ判定手段と、前記応答信号がＮＡＣＫ信号である場合に、再送パケット信号として、パリティビットブロックのみを送信する送信制御手段と、を備えることを特徴とする。
【発明の効果】
【００１１】
この発明によれば、再送時に不要なデータを送ることなく、再送時の伝送効率を向上させることができる、という効果を奏する。
【発明を実施するための最良の形態】
【００１２】
以下に、本発明にかかるパケット送信装置の実施の形態を図面に基づいて詳細に説明する。なお、この実施の形態によりこの発明が限定されるものではない。
【００１３】
実施の形態１．
まず、本発明にかかるパケット送信装置（パケット送信側の通信装置に相当）による実施の形態１の再送制御方式のシーケンスについて説明する。図１は、パケット送信装置においてＮＡＣＫ信号を受信した場合のシーケンスを示す図である。図１において、Ｆ１はパケット送信装置がパケット受信装置（パケット受信側の通信装置に相当）に対して送信しようとするパケットを誤り訂正符号化したものであり、Ｆ２は初送時の信号フォーマットであり、Ｆ３ａは再送時の信号フォーマットであり、Ｆ４はパケット受信装置にて初送および再送信号を合成して復号を行うための信号フォーマットである。また、Ｓ１ａはパケット送信装置からパケット受信装置への初送パケット信号であり、Ｓ２はパケット受信装置からパケット送信装置へ送出されているＮＡＣＫ信号であり、Ｓ３ａはパケット送信装置からパケット受信装置への再送パケット信号である。
【００１４】
また、図２は、パケット送信装置においてＡＣＫ／ＮＡＣＫ信号を受信できない場合のシーケンスを示す図である。なお、図１と同一の符号についてはその説明を省略する。図２において、Ｆ３ｂは再送時の信号フォーマットであり、Ｓ１ｂはパケット送信装置からパケット受信装置への初送パケット信号であり、Ｓ３ｂはパケット送信装置からパケット受信装置への再送パケット信号である。
【００１５】
つづいて、上記図１および図２の動作について説明する。まず、図１の場合（パケット送信装置においてＮＡＣＫ信号を受信した場合）について説明する。
【００１６】
図１において、パケット送信装置が送信するパケットは、誤り訂正符号化が実施される。誤り訂正符号として、たとえば、一般的に使用されるターボ符号を採用する場合は、Ｆ１に示すように、システマティックビットからなるブロック（Ｓ）にパリティビットからなるブロック（Ｐ１／Ｐ２）が付加される。
【００１７】
パケット送信装置では、この信号フォーマットＦ１のうち、システマティックビットブロックＳとパリティビットブロックＰ１をパケット受信装置に対して送信する（Ｓ１ａ）。パケット受信装置では、受信した信号について誤り訂正復号を行う。このとき、Ｐ２については、伝送されていないので、消失したものとして０系列を付加した上で復号を行う。そして、復号結果についてＣＲＣチェックなどで誤り検出を行い、誤りが検出された場合は、パケット送信装置に対してＮＡＣＫ信号を送出する（Ｓ２）。
【００１８】
その後、ＮＡＣＫ信号（Ｓ２）を受信したパケット送信装置では、「パケット受信装置に送信パケット信号は到達しているものの誤りが検出された」と判定し、再送パケット信号として、パリティビットブロック（Ｐ２）のみを送信する（Ｓ３ａ）。このとき、システマティックビットは送信しない。パケット受信装置では、信号フォーマットＦ３ａのＰ２を受信した後、これを初送パケット信号と合成した上で復号を行う。
【００１９】
つづいて、図２の場合（パケット送信装置においてＡＣＫ／ＮＡＣＫ信号を受信できない場合）について説明する。なお、パケット送信装置が、信号フォーマットＦ１のうち、システマティックビットブロックＳとパリティビットブロックＰ１をパケット受信装置に対して送信する処理は、図１と同様である。
【００２０】
図２においては、初送パケット信号Ｓ１ｂが無線伝送上で干渉等の影響を受け、パケット受信装置において初送パケット信号Ｓ１ｂが受信できていない。そのため、パケット受信装置は、パケット送信装置に対してＡＣＫ信号もＮＡＣＫ信号も送出していない。一方で、パケット送信装置では、パケット受信装置よりＡＣＫ信号もＮＡＣＫ信号も受信できないため、「初送パケット信号がパケット受信装置に到達していない」と判断し、再送パケット信号として、システマティックビットブロック（Ｓ）とパリティビットブロック（Ｐ２）を送信する（Ｓ３ｂ）。これにより、再送パケット信号は、それ単体でも自己復号可能となり、パケット受信装置では、この信号を受信して復号を行う。
【００２１】
このように、本実施の形態では、パケット受信装置から、ＮＡＣＫ信号が送信されてきた場合は、パリティビットのみを再送し、ＡＣＫ信号およびＮＡＣＫ信号のいずれも送出されてこない場合は、システマティックビットを含めて再送するようにした。これにより、再送時に不要なデータを送ることなく、再送時の伝送効率を向上させることができる。
【００２２】
なお、本実施の形態では、システマティックビットブロックとパリティビットブロックを明確に分割して記載しているが、システマティックビットとパリティビットの並びはブロック単位でなくてもよく、ビット単位で混在して並べてもよい。
【００２３】
また、本実施の形態では、初送時および再送時に送信するパリティビットブロックを明示しているが、これは一例であり、実際にはこの組み合せに制限されない。また、本実施の形態では、パリティビットブロックが２個の例を示しているが、パリティビットブロック数はこれに制限されない。
【００２４】
また、本実施の形態では、パケット送信装置においてＮＡＣＫ信号を受信した場合は、再送時にパリティビットブロック（Ｐ２）のみを送信するようにしているが、パリティブロック（Ｐ１）も一緒に送るようにしてもよい。
【００２５】
また、本実施の形態では、１回目の再送の場合について説明しているが、２回目以降の再送についても同様の処理を実行する。また、ＮＡＣＫ信号の受信による再送が何度も繰り返された場合には、システマティックビットを含めて再送するようにしてもよい。これにより、再送の安定性が高まる。
【００２６】
つづいて、上記図１および図２の方式を実現するためのパケット送信装置の構成例について説明する。図３は、本発明にかかるパケット送信装置の実施の形態１の構成を示す図であり、このパケット送信装置は、変調部１０１，復調部１０２，符号化部１０３，復号部１０４，再送制御／データサイズ制御部１０５，メモリ１０６，しきい値判定部１０７，ＡＣＫ／ＮＡＣＫ判定部１０８，ＡＣＫ／ＮＡＣＫ未受信判定部１０９、を備えている。
【００２７】
送信するパケットデータは、符号化部１０３において誤り訂正符号化され、再送制御／データサイズ制御部１０５を介してメモリ１０６に保存される。また、再送制御／データサイズ制御部１０５では、上記誤り訂正符号化されたパケットデータから送信するデータブロックを切り出し、変調部１０１が切り出したデータブロックを送信する。
【００２８】
一方、パケット受信装置から送出されるＡＣＫ／ＮＡＣＫ信号は、復調部１０２，復号部１０４において所定の受信処理が行われ、その後、しきい値判定部１０７が信号の有効性を判断する。たとえば、信号電力がしきい値以上であった場合は、つぎにＡＣＫ／ＮＡＣＫ判定部１０８が、信号内容がＡＣＫであるかＮＡＣＫであるかを判定する。そして、ＡＣＫ信号であった場合、再送制御／データサイズ制御部１０５が、メモリ１０６に保存されている上記ＡＣＫ信号に対応するパケットを破棄する。また、信号がＮＡＣＫ信号であった場合は、再送制御／データサイズ制御部１０５が、メモリ１０６から初送時と異なるパリティブロックを読み出し、変調部１０１を介して送信する。
【００２９】
また、しきい値判定部１０７において信号電力がしきい値未満だった場合は、ＡＣＫ／ＮＡＣＫ未受信判定部１０９が、その信号が無効であると判断し、その旨を再送制御／データサイズ制御部１０５に通知する。この場合、再送制御／データサイズ制御部１０５は、メモリ１０６から初送時と異なるパリティブロックに加えてシステマティックビットを読み出し、変調部１０１を介して送信する。
【００３０】
このように、本実施の形態においては、パケット受信装置から送出されるＡＣＫ／ＮＡＣＫ信号の有効性を判定することによって、再送パケットにシステマティックビットを含めるかどうかを切り替えることとした。これにより、再送時に不要なデータを送ることなく、再送時の伝送効率を向上させることができる。なお、上記図１および図２を実現する場合、パケット受信装置は、従来と同様の構成でよい。また、上記説明では再送時に送信するパリティブロックが初送時と異なるものとしているが、初送時と同じパリティブロックを送信してもよい。
【００３１】
実施の形態２．
実施の形態１では、パケット受信装置からＮＡＣＫ信号を受信した場合にパリティビットのみを再送し、ＡＣＫ信号／ＮＡＣＫ信号のどちらも受信できない場合にはシステマティックビットを含めて再送するようにしている。本実施の形態においては、ＡＣＫ信号／ＮＡＣＫ信号のどちらも受信できない場合に、パケット受信装置から別途送出される回線品質情報（ＣＱＩ）値を確認し、この値によって処理を切り替える。
【００３２】
図４は、本発明にかかるパケット送信装置の実施の形態２の構成例を示す図であり、このパケット送信装置は、さらに、しきい値判定部１１０，ＣＱＩ値判定部１１１，適応変調制御部１１２，ＣＱＩ値しきい値判定部１１３、を備えている。なお、前述した実施の形態１の図３と同様の構成については、同一の符号を付してその説明を省略する。ここでは、前述した実施の形態１と異なる処理について説明する。
【００３３】
図４において、パケット受信装置から送られてくるＣＱＩ信号は、復調部１０２および復号部１０４により所定の受信処理が行われ、しきい値判定部１１０によって有効性の判定が行われた後、CQI値判定部１１１によりＣＱＩ値が抽出される。適応変調制御部１１２では、抽出された値を用いて最適な変調方式，レート等を決定し、変調部１０１が、この決定値に基づいて変調処理を行う。
【００３４】
また、しきい値判定部１０７においてＡＣＫ／ＮＡＣＫ信号の有効性が判断され、信号電力がしきい値以上であった場合については、前述した実施の形態１と同様に動作する。一方で、しきい値判定部１０７において信号電力がしきい値未満であった場合には、上記ＣＱＩ値判定部１１１にて判定されたＣＱＩ値をＣＱＩ値しきい値判定部１１３に転送する。ＣＱＩ値しきい値判定部１１３では、ＣＱＩ値が予め定められたしきい値以上であるか判定を行い、たとえば、しきい値以上であった場合は、「パケット受信装置にパケット信号は到達しているが、パケット受信装置が送出したＡＣＫ／ＮＡＣＫ信号がパケット送信装置に到達しなかった」と判断し、メモリ１０６から初送時と異なるパリティブロックを読み出すように、再送制御／データサイズ制御部１０５に対して指示を行う。
【００３５】
また、ＣＱＩ値しきい値判定部１１３では、ＣＱＩ値が予め定められたしきい値未満であると判定した場合、「パケット受信装置にパケット信号が到達していないため、ＡＣＫ／ＮＡＣＫ信号が送出されず受信できない」と判断し、メモリ１０６から、初送時と異なるパリティブロックとシステマティックビットとを読み出すように、再送制御／データサイズ制御部１０５に対して指示を行う。
【００３６】
このように、本実施の形態においては、パケット受信装置からＡＣＫ／ＮＡＣＫ信号のどちらも受信できない場合、パケット受信装置から別途送出される回線品質情報（ＣＱＩ）値を確認することとした。そして、ＣＱＩ値が予め定められたしきい値以上であった場合に、パリティビットのみを再送することとした。これにより、さらに再送時の伝送効率を向上させることができる。
【００３７】
実施の形態３．
前述した実施の形態１，２では、使用する誤り訂正符号がターボ符号など、システマティックビットとパリティビットから構成される場合について説明した。一方で、近年、誤り訂正符号としてＬＤＰＣ符号が注目されている。ＬＤＰＣ符号では、符号データが列次数の異なるブロックから構成され、列次数の高い符号化ブロックは相対的に誤り訂正能力が高く、列次数の低い符号化ブロックは相対的に誤り訂正能力が低い、という特徴がある。本実施の形態では、この特徴を利用したパケット送信装置による再送制御方式のシーケンスについて説明する。
【００３８】
図５は、パケット送信装置においてＮＡＣＫ信号を受信した場合のシーケンスを示す図である。図５において，Ｆ１´はパケット送信装置がパケット受信装置に対して送信しようとするパケットを誤り訂正符号化したものであり、Ｆ２´は初送時の信号フォーマットであり、Ｆ３ａ´は再送時の信号フォーマットであり、Ｆ４´はパケット受信装置にて初送パケット信号および再送パケット信号を合成して復号するための信号フォーマットである。また，Ｓ１ａ´はパケット送信装置からパケット受信装置への初送パケット信号であり、Ｓ２´はパケット受信装置からパケット送信装置へ送出されているＮＡＣＫ信号であり、Ｓ３ａ´はパケット送信装置からパケット受信装置への再送パケット信号である。
【００３９】
また、図６は、パケット送信装置においてＡＣＫ／ＮＡＣＫ信号が受信できない場合のシーケンスを示す図である。なお、図５と同一の符号についてはその説明を省略する。図６において、Ｆ３ｂ´は再送時の信号フォーマットであり、Ｓ１ｂ´はパケット送信装置からパケット受信装置への初送パケット信号であり、Ｓ３ｂ´はパケット送信装置からパケット受信装置への再送パケット信号である。
【００４０】
つづいて、上記図１および図２の動作について説明する。まず、図５の場合（パケット送信装置においてＮＡＣＫ信号を受信した場合）について説明する。
【００４１】
図５において、パケット送信装置が送信するパケットは、誤り訂正符号化（ＬＤＰＣ符号化）が実施される。ＬＤＰＣ符号では、符号データが複数の符号ブロックから構成され、それぞれの符号ブロックに列次数の高低をつけるように構成することができる。たとえば、Ｆ１´では、Ｈ１を最も列次数の高いブロックとし、Ｈ３を最も列次数の低いブロックとする。
【００４２】
パケット送信装置では、まず、上記信号フォーマットＦ１´のうち、最も列次数の高いＨ１と次に列次数の高いＨ２をパケット受信装置に対して送信する（Ｓ１ａ´）。パケット受信装置では、受信した信号について誤り訂正復号を行う。そして、復号結果についてＣＲＣチェックなどで誤り検出を行い、誤りが検出された場合にはパケット送信装置に対してＮＡＣＫ信号を送出する（Ｓ２´）。
【００４３】
そして、ＮＡＣＫ信号（Ｓ２´）を受信したパケット送信装置では、「パケット受信装置に送信パケットは到達しているものの誤りが検出された」と判定し、再送信号として、列次数の低いブロックＨ３のみ（Ｆ３ａ´）を送信する（Ｓ３ａ´）。パケット受信装置では、上記信号Ｓ３ａ´を受信した後、この信号を初送パケット信号と合成した上で復号を行う。
【００４４】
つづいて、図６の場合（パケット送信装置においてＡＣＫ／ＮＡＣＫ信号を受信できない場合）について説明する。なお、パケット送信装置が、信号フォーマットＦ１´のうち、最も列次数の高いＨ１と次に列次数の高いＨ２をパケット受信装置に対して送信する処理は、図５と同様である。
【００４５】
図６においては、初送パケット信号Ｓ１ｂ´が無線伝送上で干渉等の影響を受け、パケット受信装置において初送パケット信号Ｓ１ｂ´が受信できていない。そのため、パケット受信装置は、パケット送信装置に対してＡＣＫ信号もＮＡＣＫ信号も送出していない。一方で、パケット送信装置では、パケット受信装置よりＡＣＫ信号もＮＡＣＫ信号も受信できないため、「初送パケット信号がパケット受信装置に到達していない」と判断し、再送パケット信号として、列次数の高いブロックＨ１と列次数の低いブロックＨ３（Ｆ３ｂ´）を送信する（Ｓ３ｂ´）。パケット受信装置では、これを受信して復号を行う。
【００４６】
このように、本実施の形態においては、パケット受信装置からＮＡＣＫ信号を受信した場合、誤り訂正能力の低い列次数のブロックのみを再送し、ＡＣＫ信号／ＮＡＣＫ信号のどちらも受信できない場合は、列次数の低いブロックとともに高い誤り訂正能力をもつ列次数の高いブロックも再送することとした。これにより、パケット受信装置にパケットが到達しているかどうかによって誤り訂正能力を変えて再送することができ、また、再送時に不要なデータを送る必要がなく、再送時の伝送効率を大幅に向上させることができる。
【００４７】
なお、本実施の形態では、初送時および再送時に送信する符号ブロックを明示しているが、これは一例であり、実際にはこの組み合せに制限されない。また、本実施の形態では、符号ブロックが３個の例を示しているが、符号ブロック数はこれに制限されない。また、本実施の形態では、１回目の再送の場合について説明しているが、２回目以降の再送についても同様に動作する。また、ＮＡＣＫ信号受信による再送が何度も繰り返される場合には、列次数の高い符号ブロックを含めて再送するようにしてもよい。これにより、再送の安定性が高まる。
【００４８】
つづいて、上記図５および図６の方式を実現するためのパケット送信装置の構成例について説明する。なお、上記方式を実現するための構成は、前述した実施の形態１の図３と同様である。
【００４９】
送信するパケットデータは、符号化部１０３において誤り訂正符号化（ＬＤＰＣ符号化）され、再送制御／データサイズ制御部１０５を介してメモリ１０６に保存される。また、再送制御／データサイズ制御部１０５では、上記誤り訂正符号化されたパケットデータから送信するデータブロックを切り出し、変調部１０１が切り出したデータブロックを送信する。
【００５０】
一方、パケット受信装置から送出されるＡＣＫ／ＮＡＣＫ信号は、復調部１０２，復号部１０４において所定の受信処理が行われ、その後、しきい値判定部１０７が信号の有効性を判断する。たとえば、信号電力がしきい値以上であった場合は、つぎにＡＣＫ／ＮＡＣＫ判定部１０８が、信号内容がＡＣＫであるかＮＡＣＫであるかを判定する。そして、ＡＣＫ信号であった場合、再送制御／データサイズ制御部１０５が、メモリ１０６に保存されている上記ＡＣＫ信号に対応するパケットを破棄する。また、信号がＮＡＣＫ信号であった場合は、再送制御／データサイズ制御部１０５が、メモリ１０６から初送時と異なる、より列次数の低い符号ブロックを読み出し、変調部１０１を介して送信する。
【００５１】
また、しきい値判定部１０７において信号電力がしきい値未満だった場合は、ＡＣＫ／ＮＡＣＫ未受信判定部１０９が、その信号が無効であると判断し、その旨を再送制御／データサイズ制御部１０５に通知する。この場合、再送制御／データサイズ制御部１０５は、メモリ１０６から初送時と異なる、より列次数の低い符号ブロックに加えて、その符号ブロックよりも列次数の高い符号ブロックを読み出し、変調部１０１を介して送信する。
【００５２】
このように、本実施の形態においては、パケット受信装置から送出されるＡＣＫ／ＮＡＣＫ信号の有効性を判定することによって、再送パケットに列次数の高い符号ブロックを含めるかどうかを切り替えることとした。これにより、パケット受信装置にパケットが到達しているかどうかによって誤り訂正能力を変えて再送することができ、また、再送時に不要なデータを送ることがなくなるため、再送時の伝送効率を向上させることができる。なお、上記図３および図４を実現する場合、パケット受信装置は、従来と同様の構成でよい。また、上記説明では再送時に送信する符号ブロックが初送時と異なるものとしているが、初送時と同じ符号ブロックを送信してもよい。
【００５３】
実施の形態４．
実施の形態３では、パケット受信装置からＮＡＣＫ信号を受信した場合に、低い誤り訂正能力の列次数の低い符号ブロックのみを再送し、ＡＣＫ信号／ＮＡＣＫ信号のどちらも受信できない場合には、列次数の低い符号ブロックとともに列次数の高い符号ブロックも再送するようにしている。本実施の形態においては、ＡＣＫ信号／ＮＡＣＫ信号のどちらも受信できない場合に、パケット受信装置から別途送出される回線品質情報（ＣＱＩ）値を確認し、この値によって処理を切り替える。なお、本実施の形態を実現するための構成は、前述した実施の形態２の図４と同様である。ここでは、前述した各実施の形態と異なる処理について説明する。
【００５４】
図４において、しきい値判定部１０７において信号電力がしきい値未満であった場合には、ＣＱＩ値判定部１１１にて判定されたＣＱＩ値をＣＱＩ値しきい値判定部１１３に転送する。ＣＱＩ値しきい値判定部１１３では、ＣＱＩ値が予め定められたしきい値以上であるか判定を行い、たとえば、しきい値以上であった場合は、「パケット受信装置にパケット信号は到達しているが、パケット受信装置が送出したＡＣＫ／ＮＡＣＫ信号がパケット送信装置に到達しなかった」と判断し、メモリ１０６から初送時と異なる、より列次数の低い符号ブロックを読み出すように、再送制御／データサイズ制御部１０５に対して指示を行う。
【００５５】
また、ＣＱＩ値しきい値判定部１１３では、ＣＱＩ値が予め定められたしきい値未満であると判定した場合、「パケット受信装置にパケット信号が到達していないため、ＡＣＫ／ＮＡＣＫ信号が送出されず受信できない」と判断し、メモリ１０６から、初送時と異なる、より列次数の低い符号ブロックとともに、その符号ブロックよりも列次数の高い符号ブロックを読み出すように、再送制御／データサイズ制御部１０５に対して指示を行う。
【００５６】
このように、本実施の形態においては、パケット受信装置からＡＣＫ／ＮＡＣＫ信号のどちらも受信できない場合、パケット受信装置から別途送出される回線品質情報（ＣＱＩ）値を確認することとした。そして、ＣＱＩ値が予め定められたしきい値以上であった場合に、列次数の高い符号ブロックを再送しないこととした。これにより、さらに再送時の伝送効率を向上させることができる。
【産業上の利用可能性】
【００５７】
以上のように、本発明にかかるパケット送信装置は、無線通信システムにおいて有用であり、特に、誤り訂正制御としてＨＡＲＱを採用するシステムに適している。
【図面の簡単な説明】
【００５８】
【図１】パケット送信装置においてＮＡＣＫ信号を受信した場合のシーケンスを示す図である。
【図２】パケット送信装置においてＡＣＫ／ＮＡＣＫ信号を受信できない場合のシーケンスを示す図である。
【図３】本発明にかかるパケット送信装置の構成例を示す図である。
【図４】本発明にかかるパケット送信装置の構成例を示す図である。
【図５】パケット送信装置においてＮＡＣＫ信号を受信した場合のシーケンスを示す図である。
【図６】パケット送信装置においてＡＣＫ／ＮＡＣＫ信号が受信できない場合のシーケンスを示す図である。
【符号の説明】
【００５９】
１０１  変調部
１０２  復調部
１０３  符号化部
１０４  復号部
１０５  再送制御／データサイズ制御部
１０６  メモリ
１０７  しきい値判定部
１０８  ＡＣＫ／ＮＡＣＫ判定部
１０９  ＡＣＫ／ＮＡＣＫ未受信判定部
１１０  しきい値判定部
１１１  ＣＱＩ値判定部
１１２  適応変調制御部
１１３  ＣＱＩ値しきい値判定部
【図１】
0004668104.tif 000002
【図２】
0004668104.tif 000003
【図３】
0004668104.tif 000004
【図４】
0004668104.tif 000005
【図５】
0004668104.tif 000006
【図６】
0004668104.tif 000007